(57)【要約】【目的】  台車が空の状態では奥方へ進むことが出来ずいつも手前にあるようにして自転車の駐車を待つことが出来る駐輪機を提供する。また盗難防止などに役立つようにキャッチャーで車輪をロックすることが出来る駐輪機を提供する。【構成】  ガイド上を移動可能な車輪載置台に、車輪が載った時に自転車の重量で車輪を両側から挟み込むキャッチャーを設けると共に、車輪を挟んだ状態のキャッチャーは通過させ車輪を挟んでいない状態のキャッチャーは通過させないようなストッパを前記ガイドに設けて成る。また車輪が載った時に自転車の重量で車輪を両側から挟み込むキャッチャーに、車輪が載ったことを感知するための感知部を設けると共に、この感知によりキャッチャーを車輪を挟んだ状態で固定するためのロック手段を設けて成る。【選択図】      図１
2004359212.tif 000002
【特許請求の範囲】
【請求項１】
車輪載置台をガイド上でその長手方向に移動可能に設けて成る駐輪機に於いて、前記車輪載置台に、車輪が載った時に自転車自体の重量で車輪を両側から挟み込むキャッチャーを設けると共に、車輪を挟んだ状態の前記キャッチャーは通過させ、車輪を挟んでいない状態の前記キャッチャーは通過させないようなストッパを前記ガイドに設けて成ることを特徴とする駐輪機。
【請求項２】
断面が略コ字状の軌条部材を、その開放側が上に向くように設置して前記ガイドと為し、このガイドの手前の底面部の中央にストッパを立設し、前記ガイド上に、ガイドに接する車輪によって移動可能に車輪載置台を設けて、前記キャッチャーに車輪が載り車輪を挟んだ状態では、前記キャッチャーは前記ストッパを避け得るように形成されている、請求項１に記載の駐輪機。
【請求項３】
前記ストッパが、前記ガイドの底面部の中央でその長手方向に横設されたガイドレールの手前側の端部であり、前記キャッチャーは車輪を備えており、この車輪は前記キャッチャーが前記ストッパを避けた状態でガイドレールの側壁面を転動し得るように設けられている、請求項２に記載の駐輪機。
【請求項４】
断面が略コ字状の軌条部材を、その開放側が上に向くように設置して前記ガイドと為し、このガイドの側壁の手前側の端部を前記ストッパとし、前記ガイド上に、ガイドに接する車輪によって移動可能に車輪載置台を設けて、前記キャッチャーに車輪が載り車輪を挟んだ状態では、前記キャッチャーは前記ストッパを避け得るように形成されている、請求項１に記載の駐輪機。
【請求項５】
前記キャッチャーは車輪を備え、この車輪は前記キャッチャーが前記ストッパを避けた状態で前記ガイドの側壁面を転動し得るように設けられている、請求項４に記載の駐輪機。
【請求項６】
断面が略コ字状の軌条部材を、その開放側が上に向くように設置して前記ガイドと為し、このガイドの底面部分にその長手方向にスリットを形成し、このスリットはその手前側の端部付近で略Ｔ字形に形成されてストッパとされており、常には上昇方向に付勢されており前記キャッチャーに車輪が載った時に自転車自体の重量で下降するように設けられた昇降杆が、上昇している状態では前記ストッパに阻まれ、逆に下降している状態では前記ストッパを避け得るように形成されている、請求項１に記載の駐輪機。
【請求項７】
前記キャッチャーが両側から対向する１対の鈎部から構成され、前記キャッチャーの車輪が載る部位の上に踏み板を設けて成る、請求項１に記載の駐輪機。
【請求項８】
前記キャッチャーが両側から対向する１対の鈎部から構成され、この鈎部間に、一方の鈎部が閉じると他方の鈎部が閉じ一方の鈎部が開くと他方の鈎部が開くようにしたリンクを設けて成る、請求項１に記載の駐輪機。
【請求項９】
前記ガイドまたは前記車輪載置台の何れか一側にソレノイドを取り付けると共に他側に前記ソレノイドのスライド杆を通すロック孔を設け、施錠時には前記スライド杆を前記ロック孔に挿入させ、開錠時には前記スライド杆を前記ロック孔から抜き出すスイッチ手段を備えた、請求項１に記載の駐輪機。
【請求項１０】
前記車輪載置台にソレノイドを取り付け、前記キャッチャーに車輪が載ったことを感知するための感知部を設け、この感知部が感知することによって前記ソレノイドのスライド杆を前記キャッチャーに掛合させ、前記キャッチャーを車輪を挟んだ状態で固定するロック手段を備えた、請求項１に記載の駐輪機。
【請求項１１】
車輪が載った時に自転車自体の重量で車輪を両側から挟み込むキャッチャーを設けた駐輪機であって、前記キャッチャーに車輪が載ったことを感知するための感知部を設けると共に、この感知部が感知したことによって前記キャッチャーを車輪を挟んだ状態で固定するためのロック手段を設けて成ることを特徴とする駐輪機。
【請求項１２】
前記キャッチャーが両側で対向する１対の鈎部から構成され、前記キャッチャーの車輪が載る部位の上方に踏み板を設けて成る、請求項１１に記載の駐輪機。
【請求項１３】
前記キャッチャーが両側で対向する１対の鈎部から構成され、この鈎部間に、一方の鈎部が閉じると他方の鈎部が閉じ一方の鈎部が開くと他方の鈎部が開くようにしたリンクを設けて成る、請求項１１に記載の駐輪機。
【請求項１４】
前記駐輪機が、ガイドとこのガイド上を長手方向に移動可能に設けた車輪載置台とから成り、この車輪載置台に前記キャッチャーを設けると共に、車輪を挟んだ状態の前記キャッチャーは通過させ車輪を挟んでいない状態の前記キャッチャーは通過させないようなストッパを前記ガイドに設け、更に前記ガイドまたは前記車輪載置台の何れか一側にソレノイドを取り付けると共に他側に前記ソレノイドのスライド杆を通すロック孔を設け、施錠時には前記スライド杆を前記ロック孔に挿入させ開錠時には前記スライド杆を前記ロック孔から抜き出すスイッチ手段を備えた、請求項１１に記載の駐輪機。
【請求項１５】
前記駐輪機が、ガイドとこのガイド上を長手方向に移動可能に設けた車輪載置台とから成り、この車輪載置台にソレノイドを取り付けると共に前記キャッチャーに車輪が載ったことを感知するための感知部を設け、この感知部が感知することにより前記ソレノイドのスライド杆を前記キャッチャーに掛合させて、前記キャッチャーを車輪を挟んだ状態で固定するロック手段を備えた、請求項１１に記載の駐輪機。
【請求項１６】
車輪を挟んだ状態の前記キャッチャーは通過させ、車輪を挟んでいない状態の前記キャッチャーは通過させないようなストッパを前記ガイドに設けて成る、請求項１５に記載の駐輪機。
【請求項１７】
車輪が載った時に自転車自体の重量で車輪を両側から挟み込むキャッチャーを設けた駐輪機であって、車輪を挟んだ状態の前記キャッチャーを固定したり開放したりするための制限部材を設け、この制限部材を固定するためのロック手段を設けて成ることを特徴とする駐輪機。
【発明の詳細な説明】
【技術分野】
【０００１】  この発明は自転車の車輪をキャッチして駐車させるための車輪キャッチャーを具えた駐輪機に関する。なお自転車には電動アシスト自転車が含まれ、また場合によっては原動機付き自転車や自動二輪車を含むことがある。
【背景技術】
【０００２】  従来より二輪車の駐車収納設備としては、上下２段式の構造物を利用して駐車スペースを確保するものが提案されている。例えば図２４にて図示したものは、下部駐車スペースを有し、上段が、支柱９に一端部が取り付けられた上部駐車収納部材９０と、当該部材９０に対して回動及び摺動自在に枢支された可動軌条部材９１とから成る上部駐車テーブルにより構成されている。そして前記上部駐車収納部材９０より可動軌条部材９１を引き出して傾斜保持させ、スロープ状の可動軌条部材９１上に自転車の前輪を持ち上げて載せ置き、更に自転車の後輪を可動軌条部材９１上に押し上げた後、可動軌条部材９１の端部取手９２持ってこれを水平状態に起こし、上部駐車収納部材９０内に挿入することによって、上部駐車テーブル９０上に自転車を駐車させる駐車装置が実用化されている。なお符号９３は自転車の傾倒防止用の前輪支持枠であり、９４は台車である。可動軌条部材９１は上部駐車収納部材９０に対して、前記台車９４の車輪９５を前記上部駐車収納部材９０に嵌め込むことによって摺動自在とされており、また前記可動軌条部材９１をこの台車９４に回動軸９６によって枢支させることにより回動自在とされている。【０００３】  前記下部駐車スペースは、前記支柱９に、断面が略コ字状の軌条部材９７を前端部が接地するように傾斜状に取り付け、該軌条部材９７の後端部両側に自転車の傾倒防止用の前輪支持枠９８を固定して成る。【０００４】  またこのような下部駐車スペースのみから成る駐輪機があり、断面が略コ字状の軌条部材が、その開放側が上に向くように且つ一定間隔と成るように並設されて平置き式ラックを構成している。【０００５】  このような平置き式ラックに於いて、更に多数の自転車を詰めて駐車させるこが出来るようにしたものして、横設したレール上を移動可能に並設した複数台の軌条部材から成るものがある（スライド式ラック）。断面が略コ字状の軌条部材は、その開放側が上に向くように置かれ、軌条部材の下面の前後に設けた車輪を２本の平行なレールに填め合わせて、左右にスライド自在と成るように構成したものである。この軌条部材に自転車の前後輪を載せ上げて駐車させるが、自転車が載っている状態でも駐車部材はその車輪によりレール上を軽々とスライドすることが出来る。従って自転車を詰めて駐車させることが出来、また出庫する場合には隣り合って駐車している自転車をスライドさせて除けることが出来る、という利点がある。【０００６】  また上述した全てのタイプの駐輪機に関して、自転車を軌条部材の奥の方まで送るのが大変であるからとして、主として前輪を載置して、軌条部材上を前後に移動得可能な台車を設けたものがある。これによれば手前で自転車の前輪を台車に載せ上げた後はこれを奥方へ押すことによって、台車の滑らかなスライド運動の助けを借りて楽々と自転車を送ることが出来るのである。また出庫時にもこの台車が円滑に移動するため、手前に自転車を引くと楽に自転車を移動させることが出来るのである。【０００７】  また上述した全てのタイプの駐輪機に関して、車輪が載った時に自転車自体の重量で閉じて車輪を両側から挟み込み、車輪が降ろされてその重量が掛からなく成った時には両側に開くキャッチャーを設けたものがある。
【特許文献１】特開２０００−２３８６７３号公報
【特許文献２】特開２００２−２５５０６９号公報
【特許文献３】特開２００２−０８９０６８号公報
【特許文献４】実開平０６−０７６５５８号公報
【特許文献５】実開平０６−０１８１８１号公報
【特許文献６】特開２００２−２４７２７５号公報
【発明の開示】
【発明が解決しようとする課題】
【０００８】  確かに上述した台車の効果には大きいものがあるが、次のような問題が新たに生じている。すなわち何かの弾みで或いは悪戯などで台車が空のまま奥方へ移動してしまうと、そこへ自転車を駐車させたいとする場合には、一々台車を手前まで戻さなければならなく成る。そうなると駐車作業がとても面倒なもの成ってしまうのである。特に急いでいる時には問題である。【０００９】  また上述したキャッチャーによれば、確かに車輪を両側から挟み込んで一時的に車輪を確保する効果はあるものの、自転車を持ち上げると容易に両側に開いて車輪を自由にしてしまう。このため隣り合う自転車の出し入れ時にハンドルなどが引っ掛かって、その弾みでキャッチャーが不本意に外れることある。また盗難防止などには殆ど役に立たない点も問題である。【００１０】  そこでこの発明の目的は、台車が空の状態ではいつも手前にあるようにして、自転車の駐車を待つようにすることにある。またこの発明の目的は、盗難防止などに役立つようにキャッチャーで車輪をロックすることが出来るようにすることにある。
【課題を解決するための手段】
【００１１】  上記課題は、車輪載置台をガイド上でその長手方向に移動可能に設けて成る駐輪機に於いて、前記車輪載置台に、車輪が載った時に自転車自体の重量で閉じて車輪を両側から挟み込み、車輪が降ろされてその重量が掛からなく成った時には両側に開くキャッチャーを設けると共に、車輪を挟んだ状態の前記キャッチャーは通過させ、車輪を挟んでおらず両側に開いた状態の前記キャッチャーは通過させないようなストッパを前記ガイドに設けて成ることを特徴とする駐輪機とすることにより達成される。【００１２】  すなわち前記キャッチャーは開閉動作によって２つの状態を取るが、この状態に対応する２種類の形状の違いにより、前記ストッパを通過出来るかストッパに阻止されるかが決まり、自転車の車輪が前記車輪載置台上にない場合には、前記車輪載置台がガイド上を奥方へ進むことが出来ないように構成されている点に特徴を有する。【００１３】  前記車輪載置台は機構的にはガイド上を奥方へ移動したり、手前側に移動したりすることが出来るように成っている。従って、前記車輪載置台に自転車の前輪を載置すれば、自転車は後輪で転動し、前輪が載置されている前記車輪載置台の助けで軽々とガイド上を移動させることが出来る。この際、上方に開いた状態の前記キャッチャーに車輪を載せると、車輪の重量でキャッチャーが車輪の方向へ回転して閉じる。逆に車輪の重量を掛けなくすると、前記キャッチャーは上方に開いて車輪を開放出来る状態と成る。【００１４】  このような車輪載置台であるから、前記キャッチャーに車輪を載せると車輪はキャッチャーに捕捉されるが、この時車輪を挟んだ状態の前記キャッチャーは、前記ガイドのストッパに引っ掛からずに通過することが可能であるため、自転車を奥方へ押し込んで駐車させることが出来るのである。【００１５】  しかしながら、キャッチャーに車輪を載せない状態で車輪載置台を奥方へ押し込もうとすると、キャッチャーは開いた状態のままであり、これが前記ストッパに引っ掛かりストッパを通過することが出来ない。従って空の車輪載置台を奥方へ押し込むことが出来ないように成っており、いつも手前にあって自転車の駐車を待つのである。【００１６】  なお自転車の前輪を前記車輪載置台の上に載せ上げると、それ自体は入出庫の際の移動中に回転することがない。これに対して後輪は断面が略コ字状の軌条部材である前記ガイドの中を転動する。後輪まで前記車輪載置台の上に載せ上げないのは、駐車スペースや通路のスペースを確保するためであるが、前記車輪載置台は車輪によって前記ガイドを動くものであるから、自転車の出し入れは誰でも軽く行なうことが出来る。なお自転車の後輪を前記車輪載置台の上に載せ上げるような駐車方法も可能である。【００１７】  さてストッパ回りの構成に付いてであるが次のような構成も可能である。すなわち、断面が略コ字状の軌条部材を、その開放側が上に向くように設置して前記ガイドと為し、このガイドの手前の底面部の中央にストッパを立設し、ガイド上に、ガイドに接する車輪によって移動可能に車輪載置台を設けて、前記キャッチャーに車輪が載り車輪を挟んだ状態では、前記キャッチャーは前記ストッパを避け得るように形成されているものとした。【���０１８】  前記車輪載置台は、車輪によって前記ガイドに添って手前から奥方へまた奥から手前へと軽く移動可能である。しかしながらガイドの手前の底面部の中央にはストッパが立設されている。前記キャッチャーが車輪を挟んで閉じた状態の場合には、キャッチャーはこの立設されたストッパにぶつからずに通過することが出来るが、開いた状態ではストッパにぶつかってこれ以上奥方へは進めなく成るのである。【００１９】  なお、前記ストッパが、前記ガイドの底面部の中央でその長手方向に横設されたガイドレールの手前側の端部であり、前記キャッチャーは車輪を備えこの車輪は前記キャッチャーが前記ストッパを避けた状態でガイドレールの側壁面を転動し得るように設けられているものすることが出来る。すなわち前記ガイド内に、このガイドに添うようにしてガイドレールが横設されている点に特徴を有するものである。【００２０】  この構成によれば前記キャッチャーに車輪を載せない状態で車輪載置台を奥方へ押し込もうとすると、前記キャッチャーは車輪共々開いた状態のままであり、この車輪はガイドレールの側壁面を転動することが出来ないばかりかこのガイドレールの手前側の端部に阻止されるため、前記車輪載置台は奥方へ移動することが出来ないのである。従って空の車輪載置台はいつも手前にあって自転車の駐車を待つ。これに対して前記キャッチャーに車輪を載せた状態では、キャッチャーは車輪を挟んで閉じ、前記ガイドレールの手前側の端部に阻止されることなく、奥方へ移動可能と成る。なお移動中は、前記車輪が前記ガイドレールの側壁面を転動するように成る。またこの状態では、キャッチャーはガイドレールに阻まれて開くことが出来ない。【００２１】  次に請求項１に記載の駐輪機に於いて、断面が略コ字形状の軌条部材を、その開放側が上に向くように設置して前記ガイドと為し、このガイドの側壁の手前側の端部を前記ストッパとし、前記ガイド上に、ガイドに接する車輪によって移動可能に車輪載置台を設けて、前記キャッチャーに車輪が載り車輪を挟んだ状態では、前記キャッチャーは前記ストッパを避け得るように形成することが出来る。ここでは前記ガイドの側壁の手前側の端部を前記ストッパとしている点に特徴を有する。【００２２】  前記キャッチャーに自転車の車輪が載っておらず、キャッチャーが開いた状態では、前記ガイドの側壁よりも外側に出っ張っており、従って、キャッチャーはこの側壁にぶつかってこれ以上奥方へは進めない。この逆に前記キャッチャーが車輪を挟んで閉じた状態の場合には、キャッチャーはこの側壁の間に納まって、前記ストッパを難なく通過することが出来るのである。【００２３】  さらに、前記キャッチャーが車輪を備え、この車輪は前記キャッチャーが前記ストッパを避けた状態で前記ガイドの側壁面を転動し得るように設けられているものとすることが出来る。【００２４】  前記車輪を備えたキャッチャーに、自転車の車輪を載せない状態で車輪載置台を奥方へ押し込もうとすると、前記キャッチャーは開いた状態にあるため、この車輪は前記ガイドの側壁に当たって奥方への移動が阻止される。これに対して、前記キャッチャーに自転車の車輪を載せた状態では、キャッチャーは車輪を挟んで閉じ、こ��車輪が前記ガイドの側壁に当たることなく奥方へ移動出来るように成る。また移動中は前記車輪が前記ガイドの側壁面を転動する。【００２５】  次に請求項１に記載の駐輪機に於いて、断面が略コ字状の軌条部材をその開放側が上に向くように設置して前記ガイドと為し、このガイドの底面部にその長手方向にスリットを形成し、このスリットはその手前側の端部付近で略Ｔ字形に形成してストッパと為し、一方常には上昇方向に付勢されており前記キャッチャーに車輪が載った時に自転車自体の重量で下降するように設けられたころの昇降杆が、上昇している状態では前記ストッパに阻まれ逆に下降している状態では前記ストッパを避け得るように形成されたものとすることが出来る。【００２６】  要するに昇降杆が上がっている状態すなわち前記キャッチャーに自転車の車輪が載っていない状態では、前記昇降杆は前記ストッパに阻まれてしまうが、前記キャッチャーに車輪が載って昇降杆が下がっている状態では、前記昇降杆は前記ストッパを外れて前記スリットの間を自由に動けるように成る。従って自転車を奥の方へ移動させて駐車させることが可能に成る。【００２７】  次に請求項１に記載の駐輪機に於いて、前記キャッチャーが両側から対向する１対の鈎部から構成され、前記キャッチャーの車輪が載る部位の上方に略水平に踏み板を設けて成るものとすることが出来る。鈎部は車輪を挟み込み得る形態のものであれば、どのようなものであってもよい。【００２８】  自転車の車体が傾斜したまま前記キャッチャーを踏むような場合がある。このような場合では車輪が前記キャッチャーの片側の鈎部しか踏まず、結果として片側の鈎部で車輪を押さえる形になる。そこで踏み板を設けることによって、車輪に踏まれた踏み板が両側の鈎部を押すことになるため、両側の鈎部で車輪を挟み込むことが出来るようになる。【００２９】  次に請求項１に記載の駐輪機に於いて、前記キャッチャーが両側から対向する１対の鈎部から構成され、この鈎部間に、一方の鈎部が閉じると他方の鈎部が閉じ一方の鈎部が開くと他方の鈎部が開くようにするための、リンクを設けて成るものとすることが出来る。【００３０】  上述したように車輪が前記キャッチャーの片側の鈎部しか踏まなかったとしても、前記１対の鈎部はリンクによって関係付けられているために、一方の鈎部が閉じると他方の鈎部が閉じ、この結果両側の鈎部で車輪を挟み込むことが出来るのである。【００３１】  次に請求項１に記載の駐輪機に於いて、前記ガイドまたは前記車輪載置台の何れか一側にソレノイドを取り付けると共に他側に前記ソレノイドのスライド杆を通すロック孔を設け、施錠時には前記スライド杆を前記ロック孔に挿入させ、開錠時には前記スライド杆を前記ロック孔から抜き出すスイッチ手段を備えたものとすることが出来る。【００３２】  即ち前記ソレノイドのスライド杆を前記ロック孔に挿入させると、車輪載置台を手前に引き出すことが出来なく成る。【００３３】  なお請求項３の構成を採用すれば、キャッチャーが前記ストッパを通過した後ではキャッチャーはガイドレールに阻まれて開くことが出来ず、また請求項４の構成を採用すれば、キャッチャーが前記ストッパを通過した後ではキャッチャーはガイドの��壁に阻まれて開くことが出来ない。従って前記車輪載置台がガイドに対して上方に外すことが出来ないように組み付けられている場合には、自転車は車輪載置台のキャッチャーに捕捉されており且つ車輪載置台はガイドから外されることがないため、自転車を持ち去ることは出来ない。従って盗難防止と成るのである。【００３４】  また上記課題は、車輪が載った時に自転車自体の重量で車輪を両側から挟み込むキャッチャーを設けた駐輪機であって、前記キャッチャーに車輪が載ったことを感知するための感知部を設けると共に、この感知部が感知したことによって前記キャッチャーを車輪を挟んだ状態で固定するためのロック手段を設けて成ることを特徴とする駐輪機とすることにより達成される。【００３５】  上方に開いた状態の前記キャッチャーに車輪を載せると、車輪の重量でキャッチャーが車輪の方向へ回転して閉じる。逆に車輪の重量を掛けなくすると、前記キャッチャーは上方に開いて車輪を開放出来る状態と成る。前記キャッチャーに車輪を載せると、車輪は自動的にキャッチャーに捕捉されるのである。【００３６】  前記キャッチャーに車輪が載ると、キャッチャーが閉じる時にキャッチャーに車輪が載ったことを感知部が感知して、ロック手段がキャッチャーを閉じたままの状態でロックしてしまう。このロック状態を解除するには、すなわち自転車の車輪を持ち上げればキャッチャーが自動的に開いて車輪を開放出来るような状態にするには、ロック手段を操作してキャッチャーが自由になるように開放しなくてはならない。この際に錠に対する鍵を設定しておき、この自転車の利用者または管理者がこの鍵を実質的に所有するようにしておく。これによって盗難防止が達成されるのである。【００３７】  このような車輪載置台であるから、単に車輪をキャッチャーに載せるだけで、車輪の捕捉と施錠とが自動的に為されるのである。なおロック手段に何を用いるかは任意設計事項である。【００３８】  次に請求項１１に記載の駐輪機に於いて、前記キャッチャーが両側で対向する１対の鈎部から構成され、前記キャッチャーの車輪が載る部位の上方に略水平に踏み板を設けて成るものとすることが出来る。【００３９】  自転車の車体が傾斜したまま前記キャッチャーを踏むような場合がある。このような場合では車輪が前記キャッチャーの片側の鈎部しか踏まず、結果として片側の鈎部で車輪を押さえる形になる。そこで踏み板を設けることによって、車輪に踏まれた踏み板が両側の鈎部を押すことになるため、両側の鈎部で車輪を挟み込むことが出来るようになる。従って単に車輪を踏み板の上に載せるだけで車輪の捕捉と施錠とが自動的に為されることになる。【００４０】  次に請求項１１に記載の駐輪機に於いて、前記キャッチャーが両側で対向する１対の鈎部から構成され、この鈎部間に、一方の鈎部が閉じると他方の鈎部が閉じ一方の鈎部が開くと他方の鈎部が開くようにしたリンクを設けて成るものとすることが出来る。【００４１】  上述したように車輪が前記キャッチャーの片側の鈎部しか踏まなかったとしても、前記１対の鈎部はリンクによって関係付けられているために、一方の鈎部が閉じると他方の鈎部が閉じ、この結果両側の鈎部で車輪を挟み込むことが出来るのであ���、またこの時に施錠することが出来るのである。【００４２】  次に請求項１１に記載の駐輪機に於いて、前記駐輪機が、ガイドとこのガイド上を長手方向に移動可能に設けた車輪載置台とから成り、この車輪載置台に前記キャッチャーを設けると共に、車輪を挟んだ状態のキャッチャーは通過させ車輪を挟んでいない状態のキャッチャーは通過させないようなストッパを前記ガイドに設け、更に前記ガイドまたは前記車輪載置台の何れか一側にソレノイドを取り付けると共に他側に前記ソレノイドのスライド杆を通すロック孔を設け、施錠時には前記スライド杆を前記ロック孔に挿入させ開錠時には前記スライド杆を前記ロック孔から抜き出すスイッチ手段を備えたものとすることが出来る。なお前記ロック手段を解除する機構には、機械的なものと電気的なものとがある。例えば前者であれば手動で前記スライド杆を操作して前記ロック孔から外すようにするのであり、スライド杆には南京錠が掛けられるようにすればよい。【００４３】  上述したように、前記車輪載置台は機構的にはガイド上を奥方へ移動したり、手前側に移動したりすることが出来るように成っている。従って前記車輪載置台に自転車の前輪を載置すれば、自転車は後輪で転動し、前輪が載置されている前記車輪載置台の助けで軽々とガイド上を移動させることが出来る。前輪が後輪よりも先に固定されることによって、自転車の姿勢が安定して取り扱いがしやすいものとなる。後輪まで前記車輪載置台上に載せ上げないのは駐車スペースや通路のスペースを確保するためであるが、前記車輪載置台は車輪によって前記ガイド上を動くものであるから、自転車の出し入れは誰でも軽く行なうことが出来る。この際上方に開いた状態のキャッチャーに車輪を載せると、車輪の重量でキャッチャーが車輪の方向へ回転して閉じる。次に車輪を持ち上げるとキャッチャーは上方に開いて車輪を開放出来る状態と成る。【００４４】  ここに於いて前記スイッチ手段を作動させると、車輪載置台を手前に引き出すことが出来なく成る。なお上述したように請求項３の構成を採用すれば、キャッチャーが前記ストッパを通過した後ではキャッチャーはガイドレールに阻まれて開くことが出来ず、また請求項４の構成を採用すれば、キャッチャーが前記ストッパを通過した後ではキャッチャーはガイドの側壁に阻まれて開くことが出来ない。従って、前記車輪載置台がガイドに対して上方に外すことが出来ないように組み付けられている場合には、自転車は車輪載置台のキャッチャーに捕捉されており且つ車輪載置台はガイドから外されることがないため、自転車を持ち去ることは出来ない。【００４５】  次に請求項１１に記載の駐輪機に於いて、前記駐輪機が、ガイドとこのガイド上を長手方向に移動可能に設けた車輪載置台とから成り、この車輪載置台にソレノイドを取り付けると共に前記キャッチャーに車輪が載ったことを感知するための感知部を設け、この感知部が感知することにより前記ソレノイドのスライド杆を前記キャッチャーに掛合させて、前記キャッチャーを車輪を挟んだ状態で固定するロック手段を備えたものとすることが出来る。【００４６】  ここではキャッチャーそのものにソレノイドのスライド杆を掛合させて施錠するようにしている。従ってキャッチャーを自由にするまでは車輪を持ち上げてもキャッチャーが開放されることはない。キャッチャーの開放には前記スライド杆をキャッチャーから外す操作を行なわなくてはならないのである。【００４７】  次に請求項１５に記載の駐輪機に於いて、車輪を挟んだ状態のキャッチャーは通過させ、車輪を挟んでいない状態のキャッチャーは通過させないような、ストッパを前記ガイドに設けて成るものとすることが出来る。【００４８】  上述したように、前記車輪載置台は機構的にはガイド上を奥方へ移動したり、手前側に移動したりすることが出来るように成っている。また前記キャッチャーに車輪を載せると車輪はキャッチャーに捕捉されるが、この時車輪を挟んだ状態の前記キャッチャーは、前記ガイドのストッパに引っ掛からずに通過することが可能であるため、自転車を奥方へ押し込んで駐車させることが出来る。しかしながらキャッチャーに車輪を載せない状態で車輪載置台を奥方へ押し込もうとすると、キャッチャーは開いた状態のままであり、これが前記ストッパに引っ掛かりストッパを通過することが出来ない。従って、空の車輪載置台を奥方へ押し込むことが出来ないように成っており、いつも手前にあって自転車の駐車を待つのである。【００４９】  また上記課題は、車輪が載った時に自転車自体の重量で車輪を両側から挟み込むキャッチャーを設けた駐輪機であって、車輪を挟んだ状態の前記キャッチャーを固定したり開放したりするための制限部材を設け、この制限部材を固定するためのロック手段を設けて成ることを特徴とする駐輪機とすることによって達成される。【００５０】  請求項１４で説明したように、前記車輪載置台の上キャッチャーがストッパを通過した後ではキャッチャーはガイドレールに阻まれて開くことが出来ないが、逆にこのガイドレールに相当するものの方を可動式にして、車輪を挟んだ状態のキャッチャーに係合するようにすれば、車輪を挟んだ状態のキャッチャーを固定することが出来る。この可動式の部材として手動式の制限部材を設けているのである。従って、キャッチャーに車輪を挟ませたならば、手で制限部材を操作してキャッチャーに係合させてから、ロック手段によって制限部材を固定してしまえば、自転車を出庫することが出来なくなるのである。またキャッチャーが車輪を載せない状態では、前記制限部材がキャッチャーに係合出来ないようにすることも可能である。
【発明の効果】
【００５１】  この発明によれば、台車が空の状態ではいつも手前にあって、自転車の駐車を待つ状態を保つことが出来る。またこの発明によれば、キャッチャーにより車輪をロックすることが出来るようになり、盗難防止などに役立つ効果を奏する。
【発明を実施するための最良の形態】
【００５２】（第１実施形態）
図１乃至図４でこの実施形態の自転車用の駐輪機を表わすが、自転車の前輪が入る幅を有する車輪載置台１はその下部両側に設けた計４個の車輪１１を、チャンネル状の軌条部材２の両側に形成された車輪通路２０に嵌め込まれて、軌条部材２をスライド自在とされている。また前記車輪載置台１の両側に設けた回動軸１０にはキャッチャー３が取り付けられている。このキャッチャー３は略く字形状を呈して、車輪載置台１に載置された自転車の前輪を両側から挟み込み得るように設けられており、その際にキャッチャー３の下部に形成された内側へ突出する踏込部３０に自転車の前輪が載ると、キャッチャー３が自転車の前輪を挟み込む方向へ回動するように構成されている。このキャッチャー３は常には外方向へ開いているように、前記回動軸１０に設けたコイルバネによって付勢されている（コイルバネは図示せず）。またこのキャッチャー３が外方向へ開いている状態の時にキャッチャー３の下縁部３１が当たり、逆にこのキャッチャー３が内方向へ閉じている状態の時には当たらない突起４が、前記チャンネル状の軌条部材２の底部中央部に突設されている。なお前記車輪載置台１に自転車の前輪が載置されていない状態の時には、キャッチャー３はこの突起４よりも手前側に位置するように、車輪載置台１がチャンネル状の軌条部材２に組み付けられている。なお前記車輪載置台１には前輪支持枠が取り付けられるように成っている。【００５３】  さて図１及び図２で示すように、前記車輪載置台１が空の状態、すなわち自転車の前輪が載置されていない状態では、キャッチャー３は外方向へ開いている。従って仮に空の状態の車輪載置台１をチャンネル状の軌条部材２の奥方向へ押したとしても、キャッチャー３の下縁部３１が前記突起４に当たって、それ以上は奥方向へ進入出来ないように成っている。【００５４】  図１及び図２は、自転車の前輪Ｔが前記車輪載置台１に進入して来て前輪Ｔが前記踏込部３０に掛かる直前の状態を表わしている。この後前輪Ｔが踏込部３０の上に載り、前輪Ｔの重量で踏込部３０を踏み込むと、キャッチャー３は回動軸１０から内方向へ回動して、自転車の前輪を両側から挟み込むように成る。この状態を図３及び図４で表わすが、するとキャッチャー３の下縁部３１は外方向へ開いた状態と成り、前記突起４には掛からない形勢と成るのである。そこで自転車を奥方向へ押すようにすると、前輪Ｔを載置した車輪載置台１は、前記突起４を抜けて、チャンネル状の軌条部材２を更に奥方向へ移動して、この軌条部材２上に自転車を駐車させることが出来るのである。【００５５】  従ってこの実施形態の特長は、空の車輪載置台１は突起４の位置よりも奥方へ押し込むことが出来ないように成っており、いつも手前にあって自転車の駐車を待つと言う点にある。【００５６】（第２実施形態）
次に図５及び図６はこの実施形態を表わす。この駐輪機はそのほとんどの構成を上述した第１実施形態の構成に倣うものであるが、前記突起４の代わりに角材状のガイド４０を、第１実施形態の突起４の位置から奥方へ向けて、前記チャンネル状の軌条部材２の底部中央部に配設している点、及び前記キャッチャー３の下縁部３１に車輪３２を取り付けた点で異なる。【００５７】  車輪載置台１が空の状態である時には、キャッチャー３は回動軸１０を中心にして外方向へ開いており、逆にキャッチャー３の下縁部３１に車輪３２は内方向へ閉じている。従ってこのままでは前記ガイド４０の端部に当たって、これ以上は奥方へ進入することが出来ない。しかしながら前輪Ｔが踏込部３０の上に載りその重量で踏込部３０を踏み込むとキャッチャー３が前輪Ｔを両側から挟み込むように成り、これと同時にキャッチャー３の下縁部３１に設けた車輪３２が開いた状態と成ってガイド４０には掛からない形勢と成る。そこで自転車を奥方向へ押すようにすると、前輪Ｔを載置した車輪載置台１がガイド４０の端部を抜けてチャンネル状の軌条部材２を奥方向へ移動し、自転車が駐車されるのである。【００５８】  空の車輪載置台１はガイド４０の端部よりも奥方へ押し込むことが出来ない点にこの実施形態の特長があるが、さらに前記キャッチャー３の下縁部３１に取り付けられた車輪３２がチャンネル状の軌条部材２の側壁とガイド４０の間に位置している状態では、自転車を持ち上げたとしても、その前輪Ｔがキャッチャー３を開いて取り出すことが出来ないと言う点にも特長がある。すなわち車輪３２がガイド４０に阻まれて内方へ回動することが出来ないのである。従って、例えば隣り合う駐輪機に駐車させようとした自転車がこちらに駐車中の自転車にぶつかるなどして自転車が跳ねたとしても、この状態では前輪Ｔがキャッチャー３から外れてしまうようなことが起こらないのである。【００５９】  ところで、上述した第１及び第２実施形態では、キャッチャー３の下部を突起４やガイド４０に突き当てることで、空の状態の車輪載置台１をそれ以上は奥方へ移動出来ないようにしていた。これに対して次に説明する第３実施形態では、軌条部材２に立設した立壁５に突き当てるように構成している。【００６０】（第３実施形態）
すなわち図７及び図８はこの実施形態を表わすが、チャンネル状の軌条部材２の両側に、上述した第１実施形態の突起４の位置から奥方向に向けて、立壁５が立設されて成る。なおこの立壁５を自転車の車体支持のために利用出来るように構成することも可能である。なお前記キャッチャー３の下縁部３１に車輪３２を取り付けているが、車輪３２をキャッチャー３の側面部に設けて立壁５を転動するように構成することも可能である。【００６１】  図７は自転車の前輪Ｔが車輪載置台１に進入して来て前輪Ｔが前記踏込部３０に掛かる直前の状態を表わしている。而して前輪Ｔが踏込部３０の上に載ると、キャッチャー３が回動軸１０から内方向へ回動して、自転車の前輪Ｔを両側から挟み込むように成る。この状態を図８で表わすが、キャッチャー３は閉じているため、前記立壁５には掛からない形勢と成るのである。そこで自転車を奥方向へ押すようにすると、前輪Ｔを載置した車輪載置台１は前記立壁５を抜けてチャンネル状の軌条部材２を更に奥方向へ移動して、この軌条部材２上に自転車を駐車させることが出来るのである。【００６２】（第４実施形態）
次に図９及び図１０は第４実施形態を表わす。車輪載置台１と軌条部材２との組み付け構成は他の実施形態のそれに倣うものである。また前記車輪載置台１の両側に設けた回動軸１０にはキャッチャー３が取り付けられている。このキャッチャー３は略く字形状を呈して、車輪載置台１に載置された自転車の前輪を両側から挟み込み得るように設けられており、その際にキャッチャー３の下部に形成された内側へ突出する踏込部３０に自転車の前輪が載るとキャッチャー３が自転車の前輪を挟み込む方向へ回動するように構成されている。このキャッチャー３は常には外方向へ開いているように、前記回動軸１０に設けた図示しないコイルバネによって付勢されている。このキャッチャー３よりも奥方に踏込板６が設けられている。この踏込板６の下面部からはリンク６０が垂下されその下端部にはストッパ６１が設けられている。また踏込板６はリンク６０回りに設けたコイルバネ（図示せず）によって常には前記キャッチャー３の踏込部３０と同じような高さ位置にあるように付勢されている。【００６３】  一方、チャンネル状の軌条部材２の底面部で、上述した第１実施形態では突起４の位置に、前記ストッパ６１が納まる終端孔２２が設けられている。終端孔と言うのは、これより奥方へ向けて、軌条部材２の底面部の中央部には前記リンク６０は通過出来、前記ストッパ６１は通過することが出来ない幅のスリット２１が形成されているためであり、このスリット２１の手前側の端部が終端孔２２だからである。【００６４】  さて図９で示すように、前記車輪載置台１が空の状態すなわち自転車の前輪Ｔが載置されていない状態ではキャッチャー３は外方向へ開いている。これと同時に前記踏込板６も前記キャッチャー３の踏込部３０と同じ高さ位置にある。従って仮に空の状態の車輪載置台１をチャンネル状の軌条部材２の奥方向へ押したとしても、前記終端孔２２が前記ストッパ６１に当たるために、車輪載置台１それ以上は奥方向へ進入することが出来ない。図９では、自転車の前輪Ｔが前記車輪載置台１に進入して来て、前輪Ｔが前記踏込板６に掛かる直前の状態を表わしている。【００６５】  その後、前輪Ｔが踏込部３０の上に載るとほぼ同時に、前輪Ｔが前記踏込板６に載って踏込板６を押し下げる。キャッチャー３は回動軸１０から内方向へ回動して自転車の前輪を両側から挟み込む。踏込板６が押し下げられると、前記ストッパ６１もそれに連動してこれに前記終端孔２２が当たらないような状態になるが、これより奥方はスリット２１が形成されているため、ここで前記リンク６０を受け入れることが出来る。そこで自転車を奥方向へ押すようにすると、前輪Ｔを載置した車輪載置台１は、前記終端孔２２を抜けてチャンネル状の軌条部材２を更に奥方向へ移動して、この軌条部材２上に自転車を駐車させることが出来るのである。【００６６】  従ってこの実施形態の特長は、空の車輪載置台１は前記終端孔２２の位置よりも奥方へ押し込むことが出来ず、いつも手前にあって自転車の駐車を待つと言う点にある。【００６７】  ところで、例えば上述した第２実施形態の駐輪機では、前記キャッチャー３の下縁部３１に取り付けられた車輪３２が、前記チャンネル状の軌条部材２の側壁とガイド��０の間に位置している状態では、自転車を持ち上げたとしても、その前輪Ｔがキャッチャー３を開いて取り出すことが出来ないのであるが、自転車を手前に引いて車輪載置台１を出庫方向に引き出して、前記車輪３２がガイド４０の端部を手前方向へ抜けてしまえばキャッチャー３を開いて前輪Ｔを外すことが出来るように成る。従ってこの引き出し操作を不可能にするのが以下で説明する実施形態である。【００６８】（第５実施形態）
次に図１１は第５実施形態を表わす。車輪載置台１と軌条部材２との組み付け構成は第２実施形態のそれに倣うものであるが、キャッチャー３の車輪Ｔが載る部位の上に踏み板３３を設けて成る点に特徴を有する。この踏み板３３はその一端部を車輪載置台１に回動軸３４によって回動自在に取り付けられている。【００６９】  この構成によって、車輪Ｔに踏まれた踏み板３３が両側の踏込部３０を同時に押すことになるため、両側の鈎部で車輪Ｔを挟み込むことが出来るようになる。従って単に車輪を踏み板３３の上に載せるだけで、車輪の捕捉が自動的に為されることになる。【００７０】（第６実施形態）
次に図１２は第６実施形態を表わす。車輪載置台の両側に設けた回動軸１０にキャッチャー３が取り付けられているが、このキャッチャー３は略く字形状を呈しており、キャッチャー３の下部に形成された内側へ突出する踏込部３０に自転車の前輪Ｔが載ると、キャッチャー３が自転車の前輪を挟み込む方向へ回動するように構成されている。このキャッチャー３は常には外方向へ開いているように前記回動軸１０に設けたコイルバネによって付勢されている（コイルバネは図示せず）。更に両側のキャッチャー３には各々リンク金具１４が回動軸１０の上方の軸１５により取り付けられている。リンク金具１４は略く字形状を呈し、この先方に長孔１６が開孔されており、リンク金具１４，１４の長孔１６，１６にはピン１７が挿通されている。【００７１】  自転車の姿勢が傾斜するなどして前輪Ｔが一方の踏込部３０に乗り上げたような場合には、この側のキャッチャー３が閉じようとするが、左右のキャッチャー３，３はリンク金具１４，１４で係合されているため、他側のキャッチャー３も同時に閉じることになる。【００７２】（第７実施形態）
図１３はこの実施形態を表わすが、この駐輪機はそのほとんどの構成を上述した第２実施形態の構成に倣うものであって、さらに車輪載置台１の奥側の端部に掛止板１２が水平姿勢で突設されており、この掛止板１２の中央部分に後述するソレノイド７の伸縮杆７０を挿通するための挿通孔１３が開孔されており、またチャンネル状の軌条部材２の奥側の端部に取付金具２３が垂直姿勢で取り付けられており、この取付金具２３に前記伸縮杆７０を上向きにしたソレノイド７が固定されている。なお前記挿通孔１３は所謂バカ孔である。また前記取付金具２３の前記掛止板１２に対する部位には挿通孔２４が開孔されている。【００７３】  前記キャッチャー３の下縁部３１に取り付けられた車輪３２がチャンネル状の軌条部材２の側壁とガイド４０の間に位置している状態では、自転車を持ち上げたとしても、その前輪Ｔがキャッチャー３を開いて取り出すことが出来ないのであるが、これを更に確実なものとするために上述したソレノイド７回りの機構を使用するのである。すなわち自転車の前輪Ｔをキャッチャー３で挟み込んだまま車輪載置台１を軌条部材２の最奥部まで押し込むと、車輪載置台１に設けられている掛止板１２が軌条部材２に設けられている取付金具２３の挿通孔２４を通り抜けた状態と成り、前記ソレノイド７の伸縮杆７０の上方にバカ孔である挿通孔１３が位置することに成る。ここで前記ソレノイド７に通電してその伸縮杆７０を押し上げると伸縮杆７０は前記挿通孔１３に挿通されるため、車輪載置台１はこの位置で固定されてしまう。従ってキャッチャー３を開放させて前輪Ｔを取り出すことは完全に不可能と成る。自転車を出庫させたいのであれば、ソレノイド７を操作してその伸縮杆７０を挿通孔１３から外さなくてはならない。【００７４】  なお前記ソレノイド７に通電するには、前記車輪載置台１が軌条部材２の最奥部まで押し込まれた時にスイッチが入るようにしたり、手動と成る電気錠のスイッチで操作し得るように構成するなどすればよく、この部分の設計はこれを自由に行なうことが出来る。【００７５】（第８実施形態）
次に図１４はこの実施形態を表わすが、前記車輪載置台１が軌条部材２の最奥部まで押し込まれた状態の時の、車輪載置台１の奥側の車輪１１が位置する部位に対向する軌条部材２の車輪通路２０の部位の側壁部に挿通孔２５が開孔されており、この挿通孔２５にソレノイド７の伸縮杆７０が挿通可能と成るように、車輪通路２０の外側にソレノイド７が固定されている。なおこの実施形態では上述した第３実施形態同様、キャッチャー３の両側部を軌条部材２に立設した立壁５に突き当てるように構成することで、空の状態の車輪載置台１をそれ以上は奥方へ移動出来ないようにした。すなわちチャンネル状の軌条部材２の両側に、上述した第１実施形態の突起４の位置から奥方向に向けて、立壁５が立設されて成るものである。【００７６】  自転車の前輪Ｔをキャッチャー３で挟み込んだまま車輪載置台１を軌条部材２の最奥部まで押し込んで、ソレノイド７に通電すると、その伸縮杆７０が軌条部材２の車輪通路２０に突出するように成る。すなわちこの状態は車輪載置台１の奥側の車輪１１よりも手前側にソレノイド７の伸縮杆７０が突出した状態であるから、車輪載置台１を引き出すことが不可能と成り、従ってキャッチャー３を開放させて前輪Ｔを取り出すことが出来なく成るのである。自転車を出庫させるにはソレノイド７を操作してその伸縮杆７０を車輪通路２０から引き出さなくてはならないのである。【００７７】  なお上述した第７及び第８実施形態では、自転車の前輪Ｔをキャッチャー３で挟み込んだまま車輪載置台１を軌条部材２の最奥部まで押し込んだ場合に、前記ソレノイド７により車輪載置台１をこの位置で施錠していた。しかしながらこの位置は基本的に任意であって、例えば車輪載置台１がストッパを通過してしまったら後戻りすることが出来ないように、直ちに固定してしまえる位置にこのソレノイド７を設けるようにしてもよい。これによれば通勤時に利用者が慌てていて駐車させるような場合によく有り勝ちな車輪載置台１が軌条部材２の最奥部まできちんと押し込まれずに施錠出来ない、というような問題に対処することが可能に成る。【００７８】（第９実施形態）
次に図１５は第９実施形態を表わす。車輪載置台１と軌条部材２との組み付け構成は第２実施形態のそれに倣うものであるが、一側のキャッチャー３の側部に掛止板３５を設け、これに挿通孔３６を形成し、キャッチャー３が閉じた状態の時にこの挿通孔３６にソレノイド７の伸縮杆７０を挿通し得るような、車輪載置台１の内側の部位にソレノイド７を取り付けると共に、他側のキャッチャー３の内側にスイッチ７１のリード７２が位置するようにして、車輪載置台１の内側の部位にスイッチ７１を取り付けてなる点に特徴を有する。【００７９】  今自転車の前輪が踏込部３０を踏むとキャッチャー３は内方へ閉じるが、この時スイッチ７１のリード７２を押すため、このスイッチ７１はＯＮ状態と成り、これによりソレノイド７に通電されるように成っている。而してソレノイド７の伸縮杆７０が伸張して掛止板３５の挿通孔３６に挿通されるため、キャッチャー３は車輪を挟み込んだままロックされた状態となる。すなわちこれは錠である。次いでこれを解除するには、鍵に相当する図示しない解除スイッチを操作して、ソレノイド７の伸縮杆７０を縮退させ、掛止板３５の挿通孔３６から外さなくてはならない。【００８０】（第１０実施形態）
次に図１６は第１０実施形態を表わし、上述した上下２段式の二輪車の駐車収納設備の上部駐車テーブルにこの発明を適用したものである。すなわち軌条部材２の底部の両側に脚部２６が設けられており、その各々に車輪２７が取り付けられており、この車輪２７がチャンネル状の上部駐車収納部材８の両側面部に設けた車輪通路８０に嵌め込まれている。また軌条部材２は上部駐車収納部材８の手前側の端部で回動自在に上部駐車収納部材８に組み付けられており、軌条部材２と上部駐車収納部材８との間を繋ぐように設けられたガスバネ８１の作用によって（接続部は図示せず）、軌条部材２が上部駐車収納部材８に対して回動し傾斜し始めると、これを引き上げる方向に付勢されるように成っている。従って傾斜させた軌条部材２の上に自転車を載せ上げて軌条部材２を水平姿勢まで持ち上げる際に、ガスバネ８１がこれを助力するように成っている。【００８１】  この構成に於いて、前記軌条部材２の上に車輪載置台１が軌条部材２上をスライド自在に設けられており、この発明の構成が実現されている。すなわち車輪載置台１と軌条部材２とを上述した他の実施形態と同様に組み付け、第１実施形態の突起４の代わりに角材状のガイド４０を、突起４の位置から奥方へ向けて前記チャンネル状の軌条部材２の底部中央部に配設して成る。【００８２】（第１１実施形態）
次に図１７及び図１８は第１０実施形態を表わす。この実施形態の駐輪機は、自転車の前輪Ｔが入る幅を有する軌条部材１７のみから成る、いわゆる平置き式ラックに係るものであるが、上述したスライド式ラックや上下２段式ラックにも適用することが出来る。また単にコンクリートの床に自転車の前輪Ｔが入る幅を有する凹部を設けただけの駐輪機にも適用可能である。【００８３】  チャンネル状の軌条部材１７の両側に設けた回動軸１０にはキャッチャー３が取り付けられている。このキャッチャー３は略く字形状を呈して、軌条部材１７に載置された自転車の前輪を両側から挟み込み得るように設けられており、その際に、キャッチャー３の下部に形成された内側へ突出する踏込部３０に自転車の前輪が載ると、キャッチャー３が自転車の前輪を挟み込む方向へ回動するように構成されている。このキャッチャー３は常には外方向へ開いているように、前記回動軸１０に設けたコイルバネにて付勢されている（コイルバネは図示せず）。更に一側のキャッチャー３には挿通孔３６を設け、キャッチャー３が閉じた状態の時にこの挿通孔３６にソレノイド７の伸縮杆７０を挿通し得るような、軌条部材１７の外壁の部位にソレノイド７を取り付けると共に、他側のキャッチャー３の内側にスイッチ７１のリード７２が位置するようにして、軌条部材１７の外壁の部位にスイッチ７１を取り付けて成る。【００８４】  今自転車の前輪が踏込部３０を踏むとキャッチャー３は回動軸１０を以て内方へ閉じるが、この時スイッチ７１のリード７２を押すため、このスイッチ７１はＯＮ状態と成り、これによりソレノイド７に通電されるように成っている。而してソレノイド７の伸縮杆７０が伸張して掛止板３５の挿通孔３６に挿通されるため、キャッチャー３は車輪を挟み込んだままロックされた状態となる。すなわちこれは錠である。これを解除するには、鍵に相当する図示しない解除スイッチを操作して、ソレノイド７の伸縮杆７０を縮退させ、掛止板３５の挿通孔３６から外すようにするのである。【００８５】（第１２実施形態）
次に図１９は第１２実施形態を表わす。この実施形態は軌条部材１７とキャッチャー３との組み付け構成を上述した第１１実施形態のそれに倣うものである。さてキャッチャー３の車輪Ｔが載る部位の上には踏み板３３が設けられており、この踏み板３３はその一端部を車輪載置台１に回動軸３４により回動自在に取り付けられている。また車輪載置台１の底部の中央部分とキャッチャー３の下縁部３１との間で且つ車輪を挟んだ状態で下縁部３１，３１間に出来る隙間（第１４実施形態で述べるキャッチャー３の下縁部３１と前記ガイド４０の手前側の端部との関係を参照のこと）に、ストッパ杆４１が挿脱自在に設けられている。またストッパ杆４１には縦孔である挿通孔４２が開孔されており、ストッパ杆４１が前記下縁部３１，３１間に挿通された状態で、前記挿通孔４２の位置に対応する車輪載置台１の底部に伸縮杆７０が位置するように、ソレノイド７が設けられている。【００８６】  これによれば、車輪Ｔに踏まれた踏み板３３が両側のキャッチャー３の踏込部３０を同時に押すことになるため、単に車輪を踏み板３３の上に載せるだけで、自動的に両側のキャッチャー３で車輪Ｔを挟み込むことが出来る。この時に前記キャッチャー３の下緑部３１，３１間には隙間が生じているため、前記ストッパ杆４１を操作してこの下縁部３１，３１間の隙間に挿通させると、キャッチャー３を車輪Ｔを挟み込んだ状態のまま固定することが出来る。またこの時には前記挿通孔４２がソレノイド７の伸縮杆７０の位置に来ているため、図示しないスイッチを操作してソレノイド７に通電することにより、伸縮杆７０が伸張して挿通孔４２に挿通され、挿通孔４２が掛止されロックされてしまう。従って車輪Ｔがキャッチャー３にロックされた状態となるのである。なおキャッチャー３の踏込部３０に車輪が載っていない状態では、前記縁部３１，３１間には挿通孔４２が挿通されないようになっているが、これを挿通可能とする構成も可能である。【００８７】（第１３実施形態）
次に図２０は第１３実施形態を表わす。前記キャッチャー３とソレノイド７とスイッチ７１との構成は第１１実施形態のそれに倣うものであるが、更に両側のキャッチャー３には各々リンク金具１４が回動軸１０の上方の軸１５により取り付けられている。リンク金具１４は略く字形状を呈して、この先方に長孔１６が開孔されており、リンク金具１４，１４の長孔１６，１６にはピン１７が挿通されている。【００８８】  自転車の姿勢が傾斜するなどして前輪Ｔが一方の踏込部３０に乗り上げたような場合には、この側のキャッチャー３が閉じようとするが、左右のキャッチャー３，３はリンク金具１４，１４で係合されているため、他側のキャッチャー３も同時に閉じることになる。この時キャッチャー３がスイッチ７１のリード７２を押すため、このスイッチ７１はＯＮ状態と成り、これによりソレノイド７に通電されるように成っている。ソレノイド７に通電すると伸縮杆７０が伸張して前記キャッチャー３の挿通孔３６に挿通され、これによってキャッチャー３は車輪を挟み込んだままロックされた状態となる。このロック状態を解除するには、鍵に相当する図示しない解除スイッチを操作して、ソレノイド７の伸縮杆７０を縮退させ、キャッチャー３の挿通孔３６から外すようにする。【００８９】（第１４実施形態）
次に図２１乃至図２３は第１４実施形態を表わす。自転車の前輪Ｔが入る幅を有する車輪載置台１はその下部両側に設けた計４個の車輪１１を、チャンネル状の軌条部材２の両側に形成された車輪通路２０に嵌め込まれて、軌条部材２上をスライド自在とされている。また前記車輪載置台１の両側に設けた回動軸１０にはキャッチャー３が取り付けられている。このキャッチャー３は略く字形状を呈して、車輪載置台１に載置された自転車の前輪を両側から挟み込み得るように設けられており、その際にキャッチャー３の下部に形成された内側へ突出する踏込部３０に自転車の前輪が載ると、キャッチャー３が自転車の前輪を挟み込む方向へ回動するように構成されている。このキャッチャー３は常には外方向へ開いているように前記回動軸１０に設けたコイルバネ（図示せず）によって付勢されている。またこのキャッチャー３が外方向へ開いている状態の時にキャッチャー３の下縁部３１に取り付けた車輪３２が当たり、逆にこのキャッチャー３が内方向へ閉じている状態の時には当たらない角材状のガイド４０が、前記チャンネル状の軌条部材２の底部中央部から奥方へ向けてに突設されている。なお前記車輪載置台１に自転車の前輪が載置されていない状態の時には、キャッチャー３はこのガイド４０の手前側の端部よりも更に手前側に位置するように、車輪載置台１がチャンネル状の軌条部材２に組み付けられている。なお前記車輪載置台１には前輪支持枠が取り付けられるように成っている。【００９０】  さて図２１及び図２２で示すように、前記車輪載置台１が空の状態、すなわち自転車の前輪が載置されていない状態では、キャッチャー３は外方向へ開いている。従って仮に空の状態の車輪載置台１をチャンネル状の軌条部材２の奥方向へ押したとしても、キャッチャー３の下縁部３１が前記ガイド４０の手前側の端部に当たって、それ以上は奥方向へ進入出来ないように成っている。【００９１】  図２１及び図２２は、自転車の前輪Ｔが前記車輪載置台１に進入して来て前輪Ｔが前記踏込部３０に掛かる直前の状態を表わしている。この後前輪Ｔが踏込部３０の上に載り、前輪Ｔの重量で踏込部３０を踏み込むと、キャッチャー３は回動軸１０から内方向へ回動して、自転車の前輪を両側から挟み込むように成る。この状態を図２３で表わすが、するとキャッチャー３の下縁部３１の車輪３２は外方向へ開いた状態と成り、前記ガイド４０の手前側の端部には掛からない形勢と成るのである。そこで自転車を奥方向へ押すようにすると、前輪Ｔを載置した車輪載置台１は、前記ガイド４０の手前側の端部を抜けて、チャンネル状の軌条部材２を更に奥方向へ移動して、この軌条部材２上に自転車を駐車させることが出来るのである。【００９２】  空の車輪載置台１は、ガイド４０の端部よりも奥方へ押し込むことが出来ないように成っており、いつも手前にあって自転車の駐車を待つと言う点にこの実施形態の特長があるが、さらに前記キャッチャー３の下縁部３１に取り付けられた車輪３２がチャンネル状の軌条部材２の側壁とガイド４０との間に位置している状態では、自転車を持ち上げたとしても、その前輪Ｔがキャッチャー３を開いて取り出すことが出来ないと言う点にも特長がある。即ち車輪３２がガイド４０に阻まれて内方へ回動することが出来ないのである。従って例えば隣り合う駐輪機に駐車させようとした自転車がこちらに駐車中の自転車にぶつかるなどして自転車が跳ねたとしても、この状態では前輪Ｔがキャッチャー３から外れてしまうようなことが起こらないのである。【００９３】  また、単に車輪をキャッチャー３の踏込部３０の上に載せるだけで、スイッチがＯＮ状態と成って自動的にソレノイド７の伸縮杆７０が伸張して挿通孔３６を掛止し、キャッチャー３をロックしてしまう。従って車輪載置台１を手前に引いて、前記車輪３２がガイド４０の手前側の端部よりも更に手前側に移動させて、キャッチャー３を完全にフリーな状態にしたとしても、ロックを解除するまでは前輪Ｔをキャッチャー３から外すことが出来ないのである。【００９４】  なおこの発明は上述した実施形態に限定されないから、例えば二輪車の重量ではなくて、二輪車を駐車させようとして押す力を利用して、キャッチャーやその周辺部位が押されると、キャッチャーが車輪を挟み込むと共に車輪載置台が奥方へ入れることが出来るような構成も可能である。【００９５】  車輪載置台の形状は任意であり、ガイドもチャンネル状のもの以外にレール状のものとするなど、自由に設計することが可能である。またキャッチャーの形状や構造などに付いても任意であり、ストッパに付いてもまた同様である。またこの発明を、上述した平置き式ラック、更に多数の自転車を詰めて駐車させるこが出来るようにしたスライド式ラック、上下２段式の二輪車の駐車収納設備などの他にも任意に適用することが可能である。すなわちこの発明は上述した実施形態に限定されるものではない。
【図面の簡単な説明】
【００９６】
【図１】第１実施形態の正面図である。
【図２】同実施形態の側面図である。
【図３】同実施形態の平面図である。
【図４】同実施形態の動作状態説明図である。
【図５】第２実施形態の正面図である。
【図６】同実施形態の側面図である。
【図７】第３実施形態の正面図である。
【図８】同実施形態の動作状態説明図である。
【図９】第４実施形態の正面図である。
【図１０】同実施形態の平面図である。
【図１１】第５実施形態の平面図である。
【図１２】第６実施形態のキャッチャー３の正面図である。
【図１３】第７実施形態の側面図である。
【図１４】第８実施形態の部分切欠正面図である。
【図１５】第９実施形態の平面図である。
【図１６】第１０実施形態の正面図である。
【図１７】第１１実施形態の正面図である。
【図１８】同実施形態の側面図である。
【図１９】第１２実施形態の平面図である。
【図２０】第１３実施形態のキャッチャー３の正面図である。
【図２１】第１４実施形態の正面図である。
【図２２】同実施形態の側面図である。
【図２３】同実施形態の動作状態説明図である。
【図２４】従来例の側面図である。
【符号の説明】
【００９７】１    車輪載置台
１０  回動軸
１１  車輪
１２  掛止板
１３  挿通孔
１４  リンク金具
１５  軸
１６  長孔
１７  ピン
１８  軌条部材
２    軌条部材
２０  車輪通路
２１  スリット
２２  終端孔
２３  取付金具
２４  挿通孔
２５  挿通孔
２６  脚部
２７  車輪
３    キャッチャー
３０  踏込部
３１  下縁部
３２  車輪
３３  踏み板
３４  回動軸
３５  掛止板
３６  挿通孔
４    突起
４０  ガイド
５    立壁
６    踏込板
６０  リンク
６１  ストッパ
７    ソレノイド
７０  伸縮杆
７１  スイッチ
７２  リード
８    上部駐車収納部材
８０  車輪通路
８１  ガスバネ
【図１】
2004359212.tif 000003
【図２】
2004359212.tif 000004
【図３】
2004359212.tif 000005
【図４】
2004359212.tif 000006
【図５】
2004359212.tif 000007
【図６】
2004359212.tif 000008
【図７】
2004359212.tif 000009
【図８】
2004359212.tif 000010
【図９】
2004359212.tif 000011
【図１０】
2004359212.tif 000012
【図１１】
2004359212.tif 000013
【図１２】
2004359212.tif 000014
【図１３】
2004359212.tif 000015
【図１４】
2004359212.tif 000016
【図１５】
2004359212.tif 000017
【図１６】
2004359212.tif 000018
【図１７】
2004359212.tif 000019
【図１８】
2004359212.tif 000020
【図１９】
2004359212.tif 000021
【図２０】
2004359212.tif 000022
【図２１】
2004359212.tif 000023
【図２２】
2004359212.tif 000024
【図２３】
2004359212.tif 000025
【図２４】
2004359212.tif 000026
【手続補正書】
【提出日】平成15年12月4日(2003.12.4)
【手続補正１】
【補正対象書類名】特許請求の範囲
【補正対象項目名】全文
【補正方法】変更
【補正の内容】
【特許請求の範囲】
【請求項１】
車輪載置台をガイド上でその長手方向に移動可能に設けて成る駐輪機に於いて、前記車輪載置台に、車輪が載った時に自転車自体の重量で車輪を両側から挟み込むキャッチャーを設けると共に、車輪を挟んだ状態の前記キャッチャーは通過させ、車輪を挟んでいない状態の前記キャッチャーは通過させないようなストッパを前記ガイドに設けて成ることを特徴とする駐輪機。
【請求項２】
断面が略コ字状の軌条部材を、その開放側が上に向くように設置して前記ガイドと為し、このガイドの手前の底面部の中央にストッパを立設し、前記キャッチャーに車輪が載り車輪を挟んだ状態では、前記キャッチャーは前記ストッパを避け得るように形成されている、請求項１に記載の駐輪機。
【請求項３】
前記ストッパが、前記ガイドの底面部の中央でその長手方向に横設されたガイドレールの手前側の端部であり、前記キャッチャーは車輪を備えており、この車輪は前記キャッチャーが前記ストッパを避けた状態でガイドレールの側壁面を転動し得るように設けられている、請求項２に記載の駐輪機。
【請求項４】
断面が略コ字状の軌条部材を、その開放側が上に向くように設置して前記ガイドと為し、このガイドの側壁の手前側の端部を前記ストッパとし、前記ガイド上に、ガイドに接する車輪によって移動可能に車輪載置台を設けて、前記キャッチャーに車輪が載り車輪を挟んだ状態では、前記キャッチャーは前記ストッパを避け得るように形成されている、請求項１に記載の駐輪機。
【請求項５】
前記キャッチャーは車輪を備え、この車輪は前記キャッチャーが前記ストッパを避けた状態で前記ガイドの側壁面を転動し得るように設けられている、請求項４に記載の駐輪機。
【請求項６】
断面が略コ字状の軌条部材を、その開放側が上に向くように設置して前記ガイドと為し、このガイドの底面部分にその長手方向にスリットを形成し、このスリットはその手前側の端部付近で略Ｔ字形に形成されてストッパとされており、常には上昇方向に付勢されており前記キャッチャーに車輪が載った時に自転車自体の重量で下降するように設けられた昇降杆が、上昇している状態では前記ストッパに阻まれ、逆に下降している状態では前記ストッパを避け得るように形成されている、請求項１に記載の駐輪機。
【請求項７】
前記キャッチャーが両側から対向する１対の鈎部から構成され、前記キャッチャーの車輪が載る部位の上に踏み板を設けて成る、請求項１に記載の駐輪機。
【請求項８】
前記キャッチャーが両側から対向する１対の鈎部から構成され、この鈎部間に、一方の鈎部が閉じると他方の鈎部が閉じ一方の鈎部が開くと他方の鈎部が開くようにしたリンクを設けて成る、請求項１に記載の駐輪機。
【手続補正２】
【補正対象書類名】明細書
【補正対象項目名】全文
【補正方法】変更
【補正の内容】
【発明の詳細な説明】
【技術分野】
【０００１】  この発明は自転車の車輪をキャッチして駐車させるための車輪キャッチャーを具えた駐輪機に関する。なお自転車には電動アシスト自転車が含まれ、また場合によっては原動機付き自転車や自動二輪車を含むことがある。
【背景技術】
【０００２】  従来より二輪車の駐車収納設備としては、上下２段式の構造物を利用して駐車スペースを確保するものが提案されている。例えば図１４にて図示したものは、下部駐車スペースを有し、上段が、支柱９に一端部が取り付けられた上部駐車収納部材９０と、当該部材９０に対して回動及び摺動自在に枢支された可動軌条部材９１とから成る上部駐車テーブルにより構成されている。そして前記上部駐車収納部材９０より可動軌条部材９１を引き出して傾斜保持させ、スロープ状の可動軌条部材９１上に自転車の前輪を持ち上げて載せ置き、更に自転車の後輪を可動軌条部材９１上に押し上げた後、可動軌条部材９１の端部取手９２持ってこれを水平状態に起こし、上部駐車収納部材９０内に挿入することによって、上部駐車テーブル９０上に自転車を駐車させる駐車装置が実用化されている。なお符号９３は自転車の傾倒防止用の前輪支持枠であり、９４は台車である。可動軌条部材９１は上部駐車収納部材９０に対して、前記台車９４の車輪９５を前記上部駐車収納部材９０に嵌め込むことによって摺動自在とされており、また前記可動軌条部材９１をこの台車９４に回動軸９６によって枢支させることにより回動自在とされている。【０００３】  前記下部駐車スペースは、前記支柱９に、断面が略コ字状の軌条部材９７を前端部が接地するように傾斜状に取り付け、該軌条部材９７の後端部両側に自転車の傾倒防止用の前輪支持枠９８を固定して成る。【０００４】  またこのような下部駐車スペースのみから成る駐輪機があり、断面が略コ字状の軌条部材が、その開放側が上に向くように且つ一定間隔と成るように並設されて平置き式ラックを構成している。【０００５】  このような平置き式ラックに於いて、更に多数の自転車を詰めて駐車させるこが出来るようにしたものして、横設したレール上を移動可能に並設した複数台の軌条部材から成るものがある（スライド式ラック）。断面が略コ字状の軌条部材は、その開放側が上に向くように置かれ、軌条部材の下面の前後に設けた車輪を２本の平行なレールに填め合わせて、左右にスライド自在と成るように構成したものである。この軌条部材に自転車の前後輪を載せ上げて駐車させるが、自転車が載っている状態でも駐車部材はその車輪によりレール上を軽々とスライドすることが出来る。従って自転車を詰めて駐車させることが出来、また出庫する場合には隣り合って駐車している自転車をスライドさせて除けることが出来る、という利点がある。【０００６】  また上述した全てのタイプの駐輪機に関して、自転車を軌条部材の奥の方まで送るのが大変であるからとして、主として前輪を載置して、軌条部材上を前後に移動得可能な台車を設けたものがある。これによれば手前で自転車の前輪を台車に載せ上げた後はこれを奥方へ押すことによって、台車の滑らかなスライド運動の助けを借りて楽々と自転車を送ることが出来るのである。また出庫時にもこの台車が円滑に移動するため、手前に自転車を引くと楽に自転車を移動させることが出来るのである。【０００７】  また上述した全てのタイプの駐輪機に関して、車輪が載った時に自転車自体の重量で閉じて車輪を両側から挟み込み、車輪が降ろされてその重量が掛からなく成った時には両側に開くキャッチャーを設けたものがある。
【特許文献１】特開２０００−２３８６７３号公報
【特許文献２】特開２００２−２５５０６９号公報
【特許文献３】特開２００２−０８９０６８号公報
【特許文献４】実開平０６−０７６５５８号公報
【特許文献５】実開平０６−０１８１８１号公報
【特許文献６】特開２００２−２４７２７５号公報
【発明の開示】
【発明が解決しようとする課題】
【０００８】  確かに上述した台車の効果には大きいものがあるが、次のような問題が新たに生じている。すなわち何かの弾みで或いは悪戯などで台車が空のまま奥方へ移動してしまうと、そこへ自転車を駐車させたいとする場合には、一々台車を手前まで戻さなければならなく成る。そうなると駐車作業がとても面倒なもの成ってしまうのである。特に急いでいる時には問題である。【０００９】  そこでこの発明の目的は、台車が空の状態ではいつも手前にあるようにして、自転車の駐車を待つようにすることにある。
【課題を解決するための手段】
【００１０】  上記課題は、車輪載置台をガイド上でその長手方向に移動可能に設けて成る駐輪機に於いて、前記車輪載置台に、車輪が載った時に自転車自体の重量で閉じて車輪を両側から挟み込み、車輪が降ろされてその重量が掛からなく成った時には両側に開くキャッチャーを設けると共に、車輪を挟んだ状態の前記キャッチャーは通過させ、車輪を挟んでおらず両側に開いた状態の前記キャッチャーは通過させないようなストッパを前記ガイドに設けて成ることを特徴とする駐輪機とすることにより達成される。【００１１】  すなわち前記キャッチャーは開閉動作によって２つの状態を取るが、この状態に対応する２種類の形状の違いにより、前記ストッパを通過出来るかストッパに阻止されるかが決まり、自転車の車輪が前記車輪載置台上にない場合には、前記車輪載置台がガイド上を奥方へ進むことが出来ないように構成されている点に特徴を有する。【００１２】  前記車輪載置台は機構的にはガイド上を奥方へ移動したり、手前側に移動したりすることが出来るように成っている。従って、前記車輪載置台に自転車の前輪を載置すれば、自転車は後輪で転動し、前輪が載置されている前記車輪載置台の助けで軽々とガイド上を移動させることが出来る。この際、上方に開いた状態の前記キャッチャーに車輪を載せると、車輪の重量でキャッチャーが車輪の方向へ回転して閉じる。逆に車輪の重量を掛けなくすると、前記キャッチャーは上方に開いて車輪を開放出来る状態と成る。【００１３】  このような車輪載置台であるから、前記キャッチャーに車輪を載せると車輪はキャッチャーに捕捉されるが、この時車輪を挟んだ状態の前記キャッチャーは、前記ガイドのストッパに引っ掛からずに通過することが可能であるため、自転車を奥方へ押し込んで駐車させることが出来るのである。【００１４】  しかしながら、キャッチャーに車輪を載せない状態で車輪載置台を奥方へ押し込もうとすると、キャッチャーは開いた状態のままであり、これが前記ストッパに引っ掛かりストッパを通過することが出来ない。従って空の車輪載置台を奥方へ押し込むことが出来ないように成っており、いつも手前にあって自転車の駐車を待つのである。【００１５】  なお自転車の前輪を前記車輪載置台の上に載せ上げると、それ自体は入出庫の際の移動中に回転することがない。これに対して後輪は断面が略コ字状の軌条部材である前記ガイドの中を転動する。後輪まで前記車輪載置台の上に載せ上げないのは、駐車スペースや通路のスペースを確保するためであるが、前記車輪載置台は車輪によって前記ガイドを動くものであるから、自転車の出し入れは誰でも軽く行なうことが出来る。なお自転車の後輪を前記車輪載置台の上に載せ上げるような駐車方法も可能である。【００１６】  さてストッパ回りの構成に付いてであるが次のような構成も可能である。すなわち、断面が略コ字状の軌条部材を、その開放側が上に向くように設置して前記ガイドと為し、このガイドの手前の底面部の中央にストッパを立設し、ガイド上に、ガイドに接する車輪によって移動可能に車輪載置台を設けて、前記キャッチャーに車輪が載り車輪を挟んだ状態では、前記キャッチャーは前記ストッパを避け得るように形成されているものとした。【���０１７】  前記車輪載置台は、車輪によって前記ガイドに添って手前から奥方へまた奥から手前へと軽く移動可能である。しかしながらガイドの手前の底面部の中央にはストッパが立設されている。前記キャッチャーが車輪を挟んで閉じた状態の場合には、キャッチャーはこの立設されたストッパにぶつからずに通過することが出来るが、開いた状態ではストッパにぶつかってこれ以上奥方へは進めなく成るのである。【００１８】  なお、前記ストッパが、前記ガイドの底面部の中央でその長手方向に横設されたガイドレールの手前側の端部であり、前記キャッチャーは車輪を備えこの車輪は前記キャッチャーが前記ストッパを避けた状態でガイドレールの側壁面を転動し得るように設けられているものすることが出来る。すなわち前記ガイド内に、このガイドに添うようにしてガイドレールが横設されている点に特徴を有するものである。【００１９】  この構成によれば前記キャッチャーに車輪を載せない状態で車輪載置台を奥方へ押し込もうとすると、前記キャッチャーは車輪共々開いた状態のままであり、この車輪はガイドレールの側壁面を転動することが出来ないばかりかこのガイドレールの手前側の端部に阻止されるため、前記車輪載置台は奥方へ移動することが出来ないのである。従って空の車輪載置台はいつも手前にあって自転車の駐車を待つ。これに対して前記キャッチャーに車輪を載せた状態では、キャッチャーは車輪を挟んで閉じ、前記ガイドレールの手前側の端部に阻止されることなく、奥方へ移動可能と成る。なお移動中は、前記車輪が前記ガイドレールの側壁面を転動するように成る。またこの状態では、キャッチャーはガイドレールに阻まれて開くことが出来ない。【００２０】  次に請求項１に記載の駐輪機に於いて、断面が略コ字形状の軌条部材を、その開放側が上に向くように設置して前記ガイドと為し、このガイドの側壁の手前側の端部を前記ストッパとし、前記ガイド上に、ガイドに接する車輪によって移動可能に車輪載置台を設けて、前記キャッチャーに車輪が載り車輪を挟んだ状態では、前記キャッチャーは前記ストッパを避け得るように形成することが出来る。ここでは前記ガイドの側壁の手前側の端部を前記ストッパとしている点に特徴を有する。【００２１】  前記キャッチャーに自転車の車輪が載っておらず、キャッチャーが開いた状態では、前記ガイドの側壁よりも外側に出っ張っており、従って、キャッチャーはこの側壁にぶつかってこれ以上奥方へは進めない。この逆に前記キャッチャーが車輪を挟んで閉じた状態の場合には、キャッチャーはこの側壁の間に納まって、前記ストッパを難なく通過することが出来るのである。【００２２】  さらに、前記キャッチャーが車輪を備え、この車輪は前記キャッチャーが前記ストッパを避けた状態で前記ガイドの側壁面を転動し得るように設けられているものとすることが出来る。【００２３】  前記車輪を備えたキャッチャーに、自転車の車輪を載せない状態で車輪載置台を奥方へ押し込もうとすると、前記キャッチャーは開いた状態にあるため、この車輪は前記ガイドの側壁に当たって奥方への移動が阻止される。これに対して、前記キャッチャーに自転車の車輪を載せた状態では、キャッチャーは車輪を挟んで閉じ、こ��車輪が前記ガイドの側壁に当たることなく奥方へ移動出来るように成る。また移動中は前記車輪が前記ガイドの側壁面を転動する。【００２４】  次に請求項１に記載の駐輪機に於いて、断面が略コ字状の軌条部材をその開放側が上に向くように設置して前記ガイドと為し、このガイドの底面部にその長手方向にスリットを形成し、このスリットはその手前側の端部付近で略Ｔ字形に形成してストッパと為し、一方常には上昇方向に付勢されており前記キャッチャーに車輪が載った時に自転車自体の重量で下降するように設けられたころの昇降杆が、上昇している状態では前記ストッパに阻まれ逆に下降している状態では前記ストッパを避け得るように形成されたものとすることが出来る。【００２５】  要するに昇降杆が上がっている状態すなわち前記キャッチャーに自転車の車輪が載っていない状態では、前記昇降杆は前記ストッパに阻まれてしまうが、前記キャッチャーに車輪が載って昇降杆が下がっている状態では、前記昇降杆は前記ストッパを外れて前記スリットの間を自由に動けるように成る。従って自転車を奥の方へ移動させて駐車させることが可能に成る。【００２６】  次に請求項１に記載の駐輪機に於いて、前記キャッチャーが両側から対向する１対の鈎部から構成され、前記キャッチャーの車輪が載る部位の上方に略水平に踏み板を設けて成るものとすることが出来る。鈎部は車輪を挟み込み得る形態のものであれば、どのようなものであってもよい。【００２７】  自転車の車体が傾斜したまま前記キャッチャーを踏むような場合がある。このような場合では車輪が前記キャッチャーの片側の鈎部しか踏まず、結果として片側の鈎部で車輪を押さえる形になる。そこで踏み板を設けることによって、車輪に踏まれた踏み板が両側の鈎部を押すことになるため、両側の鈎部で車輪を挟み込むことが出来るようになる。【００２８】  次に請求項１に記載の駐輪機に於いて、前記キャッチャーが両側から対向する１対の鈎部から構成され、この鈎部間に、一方の鈎部が閉じると他方の鈎部が閉じ一方の鈎部が開くと他方の鈎部が開くようにするための、リンクを設けて成るものとすることが出来る。【００２９】  上述したように車輪が前記キャッチャーの片側の鈎部しか踏まなかったとしても、前記１対の鈎部はリンクによって関係付けられているために、一方の鈎部が閉じると他方の鈎部が閉じ、この結果両側の鈎部で車輪を挟み込むことが出来るのである。
【発明の効果】
【００３０】  この発明によれば、台車が空の状態ではいつも手前にあって、自転車の駐車を待つ状態を保つことが出来る。
【発明を実施するための最良の形態】
【００３１】（第１実施形態）
図１乃至図４でこの実施形態の自転車用の駐輪機を表わすが、自転車の前輪が入る幅を有する車輪載置台１はその下部両側に設けた計４個の車輪１１を、チャンネル状の軌条部材２の両側に形成された車輪通路２０に嵌め込まれて、軌条部材２をスライド自在とされている。また前記車輪載置台１の両側に設けた回動軸１０にはキャッチャー３が取り付けられている。このキャッチャー３は略く字形状を呈して、車輪載置台１に載置された自転車の前輪を両側から挟み込み得るように設けられており、その際にキャッチャー３の下部に形成された内側へ突出する踏込部３０に自転車の前輪が載ると、キャッチャー３が自転車の前輪を挟み込む方向へ回動するように構成されている。このキャッチャー３は常には外方向へ開いているように、前記回動軸１０に設けたコイルバネによって付勢されている（コイルバネは図示せず）。またこのキャッチャー３が外方向へ開いている状態の時にキャッチャー３の下縁部３１が当たり、逆にこのキャッチャー３が内方向へ閉じている状態の時には当たらない突起４が、前記チャンネル状の軌条部材２の底部中央部に突設されている。なお前記車輪載置台１に自転車の前輪が載置されていない状態の時には、キャッチャー３はこの突起４よりも手前側に位置するように、車輪載置台１がチャンネル状の軌条部材２に組み付けられている。なお前記車輪載置台１には前輪支持枠が取り付けられるように成っている。【００３２】  さて図１及び図２で示すように、前記車輪載置台１が空の状態、すなわち自転車の前輪が載置されていない状態では、キャッチャー３は外方向へ開いている。従って仮に空の状態の車輪載置台１をチャンネル状の軌条部材２の奥方向へ押したとしても、キャッチャー３の下縁部３１が前記突起４に当たって、それ以上は奥方向へ進入出来ないように成っている。【００３３】  図１及び図２は、自転車の前輪Ｔが前記車輪載置台１に進入して来て前輪Ｔが前記踏込部３０に掛かる直前の状態を表わしている。この後前輪Ｔが踏込部３０の上に載り、前輪Ｔの重量で踏込部３０を踏み込むと、キャッチャー３は回動軸１０から内方向へ回動して、自転車の前輪を両側から挟み込むように成る。この状態を図３及び図４で表わすが、するとキャッチャー３の下縁部３１は外方向へ開いた状態と成り、前記突起４には掛からない形勢と成るのである。そこで自転車を奥方向へ押すようにすると、前輪Ｔを載置した車輪載置台１は、前記突起４を抜けて、チャンネル状の軌条部材２を更に奥方向へ移動して、この軌条部材２上に自転車を駐車させることが出来るのである。【００３４】  従ってこの実施形態の特長は、空の車輪載置台１は突起４の位置よりも奥方へ押し込むことが出来ないように成っており、いつも手前にあって自転車の駐車を待つと言う点にある。【００３５】（第２実施形態）
次に図５及び図６はこの実施形態を表わす。この駐輪機はそのほとんどの構成を上述した第１実施形態の構成に倣うものであるが、前記突起４の代わりに角材状のガイド４０を、第１実施形態の突起４の位置から奥方へ向けて、前記チャンネル状の軌条部材２の底部中央部に配設している点、及び前記キャッチャー３の下縁部３１に車輪３２を取り付けた点で異なる。【００３６】  車輪載置台１が空の状態である時には、キャッチャー３は回動軸１０を中心にして外方向へ開いており、逆にキャッチャー３の下縁部３１に車輪３２は内方向へ閉じている。従ってこのままでは前記ガイド４０の端部に当たって、これ以上は奥方へ進入することが出来ない。しかしながら前輪Ｔが踏込部３０の上に載りその重量で踏込部３０を踏み込むとキャッチャー３が前輪Ｔを両側から挟み込むように成り、これと同時にキャッチャー３の下縁部３１に設けた車輪３２が開いた状態と成ってガイド４０には掛からない形勢と成る。そこで自転車を奥方向へ押すようにすると、前輪Ｔを載置した車輪載置台１がガイド４０の端部を抜けてチャンネル状の軌条部材２を奥方向へ移動し、自転車が駐車されるのである。【００３７】  空の車輪載置台１はガイド４０の端部よりも奥方へ押し込むことが出来ない点にこの実施形態の特長があるが、さらに前記キャッチャー３の下縁部３１に取り付けられた車輪３２がチャンネル状の軌条部材２の側壁とガイド４０の間に位置している状態では、自転車を持ち上げたとしても、その前輪Ｔがキャッチャー３を開いて取り出すことが出来ないと言う点にも特長がある。すなわち車輪３２がガイド４０に阻まれて内方へ回動することが出来ないのである。従って、例えば隣り合う駐輪機に駐車させようとした自転車がこちらに駐車中の自転車にぶつかるなどして自転車が跳ねたとしても、この状態では前輪Ｔがキャッチャー３から外れてしまうようなことが起こらないのである。【００３８】  ところで、上述した第１及び第２実施形態では、キャッチャー３の下部を突起４やガイド４０に突き当てることで、空の状態の車輪載置台１をそれ以上は奥方へ移動出来ないようにしていた。これに対して次に説明する第３実施形態では、軌条部材２に立設した立壁５に突き当てるように構成している。【００３９】（第３実施形態）
すなわち図７及び図８はこの実施形態を表わすが、チャンネル状の軌条部材２の両側に、上述した第１実施形態の突起４の位置から奥方向に向けて、立壁５が立設されて成る。なおこの立壁５を自転車の車体支持のために利用出来るように構成することも可能である。なお前記キャッチャー３の下縁部３１に車輪３２を取り付けているが、車輪３２をキャッチャー３の側面部に設けて立壁５を転動するように構成することも可能である。【００４０】  図７は自転車の前輪Ｔが車輪載置台１に進入して来て前輪Ｔが前記踏込部３０に掛かる直前の状態を表わしている。而して前輪Ｔが踏込部３０の上に載ると、キャッチャー３が回動軸１０から内方向へ回動して、自転車の前輪Ｔを両側から挟み込むように成る。この状態を図８で表わすが、キャッチャー３は閉じているため、前記立壁５には掛からない形勢と成るのである。そこで自転車を奥方向へ押すようにすると、前輪Ｔを載置した車輪載置台１は前記立壁５を抜けてチャンネル状の軌条部材２を更に奥方向へ移動して、この軌条部材２上に自転車を駐車させることが出来るのである。【００４１】（第４実施形態）
次に図９及び図１０は第４実施形態を表わす。車輪載置台１と軌条部材２との組み付け構成は他の実施形態のそれに倣うものである。また前記車輪載置台１の両側に設けた回動軸１０にはキャッチャー３が取り付けられている。このキャッチャー３は略く字形状を呈して、車輪載置台１に載置された自転車の前輪を両側から挟み込み得るように設けられており、その際にキャッチャー３の下部に形成された内側へ突出する踏込部３０に自転車の前輪が載るとキャッチャー３が自転車の前輪を挟み込む方向へ回動するように構成されている。このキャッチャー３は常には外方向へ開いているように、前記回動軸１０に設けた図示しないコイルバネによって付勢されている。このキャッチャー３よりも奥方に踏込板６が設けられている。この踏込板６の下面部からはリンク６０が垂下されその下端部にはストッパ６１が設けられている。また踏込板６はリンク６０回りに設けたコイルバネ（図示せず）によって常には前記キャッチャー３の踏込部３０と同じような高さ位置にあるように付勢されている。【００４２】  一方、チャンネル状の軌条部材２の底面部で、上述した第１実施形態では突起４の位置に、前記ストッパ６１が納まる終端孔２２が設けられている。終端孔と言うのは、これより奥方へ向けて、軌条部材２の底面部の中央部には前記リンク６０は通過出来、前記ストッパ６１は通過することが出来ない幅のスリット２１が形成されているためであり、このスリット２１の手前側の端部が終端孔２２だからである。【００４３】  さて図９で示すように、前記車輪載置台１が空の状態すなわち自転車の前輪Ｔが載置されていない状態ではキャッチャー３は外方向へ開いている。これと同時に前記踏込板６も前記キャッチャー３の踏込部３０と同じ高さ位置にある。従って仮に空の状態の車輪載置台１をチャンネル状の軌条部材２の奥方向へ押したとしても、前記終端孔２２が前記ストッパ６１に当たるために、車輪載置台１それ以上は奥方向へ進入することが出来ない。図９では、自転車の前輪Ｔが前記車輪載置台１に進入して来て、前輪Ｔが前記踏込板６に掛かる直前の状態を表わしている。【００４４】  その後、前輪Ｔが踏込部３０の上に載るとほぼ同時に、前輪Ｔが前記踏込板６に載って踏込板６を押し下げる。キャッチャー３は回動軸１０から内方向へ回動して自転車の前輪を両側から挟み込む。踏込板６が押し下げられると、前記ストッパ６１もそれに連動してこれに前記終端孔２２が当たらないような状態になるが、これより奥方はスリット２１が形成されているため、ここで前記リンク６０を受け入れることが出来る。そこで自転車を奥方向へ押すようにすると、前輪Ｔを載置した車輪載置台１は、前記終端孔２２を抜けてチャンネル状の軌条部材２を更に奥方向へ移動して、この軌条部材２上に自転車を駐車させることが出来るのである。【００４５】  従ってこの実施形態の特長は、空の車輪載置台１は前記終端孔２２の位置よりも奥方へ押し込むことが出来ず、いつも手前にあって自転車の駐車を待つと言う点にある。【００４６】（第５実施形態）
次に図１１は第５実施形態を表わす。車輪載置台１と軌条部材２との組み付け構成は第２実施形態のそれに倣うものであるが、キャッチャー３の車輪Ｔが載る部位の上に踏み板３３を設けて成る点に特徴を有する。この踏み板３３はその一端部を車輪載置台１に回動軸３４によって回動自在に取り付けられている。【００４７】  この構成によって、車輪Ｔに踏まれた踏み板３３が両側の踏込部３０を同時に押すことになるため、両側の鈎部で車輪Ｔを挟み込むことが出来るようになる。従って単に車輪を踏み板３３の上に載せるだけで、車輪の捕捉が自動的に為されることになる。【００４８】（第６実施形態）
次に図１２は第６実施形態を表わす。車輪載置台の両側に設けた回動軸１０にキャッチャー３が取り付けられているが、このキャッチャー３は略く字形状を呈しており、キャッチャー３の下部に形成された内側へ突出する踏込部３０に自転車の前輪Ｔが載ると、キャッチャー３が自転車の前輪を挟み込む方向へ回動するように構成されている。このキャッチャー３は常には外方向へ開いているように前記回動軸１０に設けたコイルバネによって付勢されている（コイルバネは図示せず）。更に両側のキャッチャー３には各々リンク金具１４が回動軸１０の上方の軸１５により取り付けられている。リンク金具１４は略く字形状を呈し、この先方に長孔１６が開孔されており、リンク金具１４，１４の長孔１６，１６にはピン１７が挿通されている。【００４９】  自転車の姿勢が傾斜するなどして前輪Ｔが一方の踏込部３０に乗り上げたような場合には、この側のキャッチャー３が閉じようとするが、左右のキャッチャー３，３はリンク金具１４，１４で係合されているため、他側のキャッチャー３も同時に閉じることになる。【００５０】（第７実施形態）
次に図１３は第７実施形態を表わし、上述した上下２段式の二輪車の駐車収納設備の上部駐車テーブルにこの発明を適用したものである。すなわち軌条部材２の底部の両側に脚部２６が設けられており、その各々に車輪２７が取り付けられており、この車輪２７がチャンネル状の上部駐車収納部材８の両側面部に設けた車輪通路８０に嵌め込まれている。また軌条部材２は上部駐車収納部材８の手前側の端部で回動自在に上部駐車収納部材８に組み付けられており、軌条部材２と上部駐車収納部材８との間を繋ぐように設けられたガスバネ８１の作用によって（接続部は図示せず）、軌条部材２が上部駐車収納部材８に対して回動し傾斜し始めると、これを引き上げる方向に付勢されるように成っている。従って傾斜させた軌条部材２の上に自転車を載せ上げて軌条部材２を水平姿勢まで持ち上げる際に、ガスバネ８１がこれを助力するように成っている。【００５１】  この構成に於いて、前記軌条部材２の上に車輪載置台１が軌条部材２上をスライド自在に設けられており、この発明の構成が実現されている。すなわち車輪載置台１と軌条部材２とを上述した他の実施形態と同様に組み付け、第１実施形態の突起４の代わりに角材状のガイド４０を、突起４の位置から奥方へ向けて前記チャンネル状の軌条部材２の底部中央部に配設して成る。【００５２】  なおこの発明は上述した実施形態に限定されないから、例えば二輪車の重量ではなくて、二輪車を駐車させようとして押す力を利用して、キャッチャーやその周辺部位が押されると、キャッチャーが車輪を挟み込むと共に車輪載置台が奥方へ入れることが出来るような構成も可能である。【００５３】  車輪載置台の形状は任意であり、ガイドもチャンネル状のもの以外にレール状のものとするなど、自由に設計することが可能である。またキャッチャーの形状や構造などに付いても任意であり、ストッパに付いてもまた同様である。またこの発明を、上述した平置き式ラック、更に多数の自転車を詰めて駐車させるこが出来るようにしたスライド式ラック、上下２段式の二輪車の駐車収納設備などの他にも任意に適用することが可能である。すなわちこの発明は上述した実施形態に限定されるものではない。
【図面の簡単な説明】
【００５４】
【図１】  第１実施形態の正面図である。
【図２】  同実施形態の側面図である。
【図３】  同実施形態の平面図である。
【図４】  同実施形態の動作状態説明図である。
【図５】  第２実施形態の正面図である。
【図６】  同実施形態の側面図である。
【図７】  第３実施形態の正面図である。
【図８】  同実施形態の動作状態説明図である。
【図９】  第４実施形態の正面図である。
【図１０】  同実施形態の平面図である。
【図１１】  第５実施形態の平面図である。
【図１２】  第６実施形態のキャッチャー３の正面図である。
【図１３】  第７実施形態の正面図である。
【図１４】  従来例の側面図である。
【符号の説明】
【００５５】１    車輪載置台
１０  回動軸
１１  車輪
１４  リンク金具
１５  軸
１６  長孔
１７  ピン
２    軌条部材
２０  車輪通路
２１  スリット
２２  終端孔
２６  脚部
２７  車輪
３    キャッチャー
３０  踏込部
３１  下縁部
３２  車輪
３３  踏み板
３４  回動軸
４    突起
４０  ガイド
５    立壁
６    踏込板
６０  リンク
６１  ストッパ
８    上部駐車収納部材
８０  車輪通路
８１  ガスバネ
【手続補正３】
【補正対象書類名】図面
【補正対象項目名】全図
【補正方法】変更
【補正の内容】
【図１】
2004359212.tif 000027
【図２】
2004359212.tif 000028
【図３】
2004359212.tif 000029
【図４】
2004359212.tif 000030
【図５】
2004359212.tif 000031
【図６】
2004359212.tif 000032
【図７】
2004359212.tif 000033
【図８】
2004359212.tif 000034
【図９】
2004359212.tif 000035
【図１０】
2004359212.tif 000036
【図１１】
2004359212.tif 000037
【図１２】
2004359212.tif 000038
【図１３】
2004359212.tif 000039
【図１４】
2004359212.tif 000040